(57)【特許請求の範囲】
【請求項１】
リスナの頭部上方に当接し、左右の耳掛部を介して左右の耳介付け根上部にそれぞれ当接すると共に当該頭部を左右から挟み込むことにより当該頭部に装着される装着部と、
中空の筐体にスピーカユニットが取り付けられてなる左右のスピーカ部と、
上記装着部に取り付けられ、上記スピーカユニットの放音面を上記リスナの外耳道入口の前方に位置させるよう上記スピーカ部を支持する左右の支持部と、
上記筐体に取り付けられ、上記筐体内に生じた音を上記外耳道入口近傍まで到達させるよう延長された左右の管状ダクトと
を有し、
上記支持部は、左右外向きの力が加えられることにより上記装着部に対し上記スピーカ部を一時的に外方へ位置させると共に上記管状ダクトの内側端部を上記耳掛部よりも外方に位置させ、当該外向きの力が解放されることにより上記装着部に対し上記スピーカ部を上記外耳道入口の前方に位置させる
イヤースピーカ装置。
【請求項２】
上記支持部は、
上記装着部に取り付けられるホルダと、
上記スピーカ部が取り付けられるアームと、
上記リスナの前後方向を結ぶ回転軸を中心として、上記アームを上記ホルダに対し所定回転範囲内で自在に回転させる回転部と
を有する請求項１に記載のイヤースピーカ装置。
【請求項３】
上記支持部は、
上記アームが左右外方の最大回転位置に達した状態で当該アームに加えられる上記左右外向きの力を上記装着部に伝達する
請求項２に記載のイヤースピーカ装置。
【請求項４】
上記回転部は、
上記ホルダに対し上記アームを左右内向きに回転させるよう付勢されている
請求項２に記載のイヤースピーカ装置。
【請求項５】
上記アームは、
上記スピーカユニットに音声信号を供給するケーブルが下端から延長されると共に、上記リスナに装着された際に上記下端が上記リスナから所定間隔だけ離隔する
請求項４に記載のイヤースピーカ装置。
【請求項６】
上記ホルダは、
上記装着部に対する取付位置を上下方向に調整可能に構成されている
請求項２に記載のイヤースピーカ装置。
【請求項７】
上記装着部は、
上記リスナの頭頂部に当接するヘッドバンドと、
上記ヘッドバンドに取り付けられると共にその下端が上記リスナの左右の耳介付け根上部にそれぞれ当接する左右のハンガーと、
上記ヘッドバンドに対し上記ハンガーを上下にスライドさせる左右のスライダと
請求項２に記載のイヤースピーカ装置。
【請求項８】
上記ホルダは、
上記ハンガーに対し上下方向にスライドし得るよう取り付けられ、当該ハンガーに対する固定強度が、上記スライダにおける上記バンド部と当該ハンガーとの固定強度よりも強められている
請求項７に記載のイヤースピーカ装置。
【請求項９】
上記管状ダクトは、
上記筐体から上記リスナの外耳道入口近傍まで延長されると共に上記筐体へ再度戻る略Ｕ字状に形成され、上記リスナの上記外耳道入口近傍に放音用の孔部が設けられている
請求項１に記載のイヤースピーカ装置。
【発明の詳細な説明】
【技術分野】
【０００１】
本発明はイヤースピーカ装置に関し、例えばスピーカをリスナの頭部に装着させるイヤースピーカ装置に適用して好適なものである。
【背景技術】
【０００２】
従来、頭部装着型のイヤースピーカ装置に近い構成を有するヘッドホン装置においては、リスナの頭部に装着された状態でＣＤ（Compact Disc）の再生音声等を表す電気信号を音（以下、これを再生音と呼ぶ）に変換し、当該リスナに聴取させるようになされたものが広く普及している。
【０００３】
一般的なヘッドホン装置では、音を発生させるスピーカユニットがリスナの外耳道入口の正面付近に位置し、当該スピーカユニットから鼓膜に対して直接的に音を到達させるようになされている。これによりヘッドホン装置は、音質を向上し得る一方、音像をリスナの頭内に定位させることになり当該リスナに不自然な印象を与えてしまっていた。
【０００４】
このためヘッドホン装置の中には、スピーカユニットを外耳道入口（耳孔）からやや離隔させ前頭部側に位置させることにより、一般的な据置型のスピーカを用いた場合のように音像を頭外に定位させ不自然感を払拭させ得るよう図られたもの、すなわちイヤースピーカ装置が提案されている（例えば、特許文献１参照）。
【特許文献１】特開２０００−２９５６８５公報（第１図）
【発明の開示】
【発明が解決しようとする課題】
【０００５】
しかしながら、かかる構成のイヤースピーカ装置では、スピーカユニットが耳孔から離隔されていると共に周囲の空間が解放されているために再生音の低音域が不足し、音質が劣化してしまうという問題があった。またヘッドホン装置は、リスナの頭部への装着及び頭部からの取り外しが容易であることが望ましい。
【０００６】
本発明は以上の点を考慮してなされたもので、自然な音像定位を与え充分な低音を含む高品質な再生音をリスナに聴取させ得ると共に、頭部への装着又は頭部からの取り外しを容易に行わせ得るイヤースピーカ装置を提案しようとするものである。
【課題を解決するための手段】
【０００７】
かかる課題を解決するため本発明のイヤースピーカ装置においては、リスナの頭部上方に当接し、左右の耳掛部を介して左右の耳介付け根上部にそれぞれ当接すると共に当該頭部を左右から挟み込むことにより当該頭部に装着される装着部と、中空の筐体にスピーカユニットが取り付けられてなる左右のスピーカ部と、装着部に取り付けられ、スピーカユニットの放音面をリスナの外耳道入口の前方に位置させるようスピーカ部を支持する左右の支持部と、筐体に取り付けられ、筐体内に生じた音を外耳道入口近傍まで到達させるよう延長された左右の管状ダクトとを設け、支持部は、左右外向きの力が加えられることにより装着部に対しスピーカ部を一時的に外方へ位置させると共に管状ダクトの内側端部を耳掛部よりも外方に位置させ、当該外向きの力が解放されることにより装着部に対しスピーカ部を外耳道入口の前方に位置させるようにした。
【０００８】
これによりリスナの頭部へ装着され又は頭部から取り外されるとき、スピーカ部を一時的に外方へ位置させると共に管状ダクトを耳掛部よりも外方に位置させて耳介等との干渉を防止できると共に、頭部に装着されたとき、スピーカユニットの放音面を外耳道入口の前方に位置させ管状ダクトの端部を外耳道入口近傍まで到達させることができる。
【発明の効果】
【０００９】
本発明によれば、リスナの頭部へ装着され又は頭部から取り外されるとき、スピーカ部を一時的に外方へ位置させると共に管状ダクトを耳掛部よりも外方に位置させて耳介等との干渉を防止できると共に、頭部に装着されたとき、スピーカユニットの放音面を外耳道入口の前方に位置させ管状ダクトの端部を外耳道入口近傍まで到達させることができ、かくして自然な音像定位を与え充分な低音を含む高品質な再生音をリスナに聴取させ得ると共に、頭部への装着又は頭部からの取り外しを容易に行わせ得るイヤースピーカ装置を実現できる。
【発明を実施するための最良の形態】
【００１０】
以下、図面について、本発明の一実施の形態を詳述する。
【００１１】
（１）イヤースピーカ装置の構成
図１、図２及び図３において、イヤースピーカ装置１は、全体としてポータブルＣＤ（Compact Disc）プレーヤやＤＭＰ（Digital Music Player）の再生処理等により生成された電気信号を音に変換しリスナに聴取させるようになされている。
【００１２】
イヤースピーカ装置１は、一般的な箱形のスピーカ装置とは異なり、ヘッドホン装置と同様にリスナの頭部に装着されることを前提としている。実際上、イヤースピーカ装置１は、大きく分けてリスナの頭部に安定的に装着するための装着部１０と、電気信号を音（以下、これを再生音と呼ぶ）に変換する左右のスピーカ部３０Ｌ及び３０Ｒと、装着部１０の左右に取り付けられスピーカ部３０Ｌ及び３０Ｒをそれぞれ支持する支持部２０Ｌ及び２０Ｒとにより構成されている。
【００１３】
以下では、イヤースピーカ装置１がリスナに装着されたときの上方向、下方向、右方向、左方向、前方向及び後方向を定義した上で説明する。
【００１４】
（１−１）装着部の構成
装着部１０は、リスナの頭上部を覆うヘッドバンド１１を中心に構成されており、当該ヘッドバンド１１の左右端部にスライダ１２Ｌ及び１２Ｒを介してハンガー１３Ｌ及び１３Ｒが設けられている。
【００１５】
ヘッドバンド１１は、薄板状の金属板が略楕円周状に打ち抜かれ略円弧状に曲げられており、リスナの頭部に装着された際に当該頭部を左右に渡る２本の細いバンドが接合部分と一体に形成されたような形状となっている。
【００１６】
またヘッドバンド１１は、全体として弾性を有しており、自然状態では一般的なリスナの頭部よりもやや小さな弧状に湾曲する一方、左右に押し広げられるとリスナの頭上部にフィットした形状となり、自然状態に戻ろうとする弾性力が作用するようになされている。
【００１７】
さらにヘッドバンド１１の中央部分は、パッド１５により覆われており、リスナの頭部に装着された際に与え得る、金属の冷たさや堅さ等の感覚を和らげるようになされている。
【００１８】
ところでイヤースピーカ装置１は、全体としてほぼ左右対称に構成されている。このため、以下では各符号の末尾に「Ｌ」を付した左側部分について主に説明し、各符号の末尾に「Ｒ」を付した右側部分については説明を省略する。
【００１９】
スライダ１２Ｌは、ヘッドバンド１１の左端部に取付固定され、上下方向に貫通するよう設けられた孔部にハンガー１３Ｌが挿通されている。
【００２０】
ハンガー１３Ｌは、略長方形状の薄い金属板が僅かに内側に湾曲されてなり、下方の折曲部１３ＬＡにおいて内方へ折り曲げられると共に下端に耳掛部１４Ｌが形成されており、また上端にストッパ１３ＢＬが形成されている。
【００２１】
耳掛部１４Ｌは、ハンガー１３Ｌの下端部分を部分的に心材としており、その周囲に樹脂材料が成形されている。この耳掛部１４Ｌは、上側に突出した三日月状に形成されており、イヤースピーカ装置１がリスナの頭部に装着された際に、下側部分及び内側面部分がリスナの耳介付け根の上部に当接するようになされている。
【００２２】
またハンガー１３Ｌの内側表面には、図４に示すように、上下方向に渡って１０個の位置決め穴１３ＣＬがほぼ等間隔に穿設されており、その下方には内側に突出した突起部１３ＤＬが突設されている。
【００２３】
一方、スライダ１２Ｌは、その内部において、ハンガー１３Ｌを表側（すなわち左側）及び裏側（すなわち右側）からある程度の力で挟持しており、さらに位置決め穴１３ＣＬと対応する位置決め機構（図示せず）が設けられている。
【００２４】
かかる構成によりスライダ１２Ｌは、リスナの操作等によってヘッドバンド１１に対しハンガー１３Ｌを上下に摺動させ、位置決め穴１３ＣＬを利用してハンガー１３Ｌの上下位置を段階的に選択させ得るようになされている。
【００２５】
またスライダ１２Ｌは、ストッパ１３ＢＬ及び突起部１３ＤＬによりストッパ１３Ｌの上側及び下側への移動範囲がそれぞれ規制されており、ストッパ１３Ｌを約４０［ｍｍ］の範囲で上下に移動させることができる。
【００２６】
これによりイヤースピーカ装置１は、左側の耳掛部１４Ｌからヘッドバンド１１を介し右側の耳掛部１４Ｒまでの弧状部分の長さ（以下、これを装着部長さと呼ぶ）をリスナに調節させることができる。
【００２７】
さらにハンガー１３Ｌの外側表面には、図５に示すように、各位置決め穴１３ＣＬとそれぞれ対応した目盛り及び「１」から「１０」までの数字が刻印されている。
【００２８】
このためイヤースピーカ装置１は、ハンガー１３Ｌの目盛り及び数字により装着部長さをリスナに視認させ、当該目盛り及び数字を参照させながら所望の装着部長さに調節させることができる。
【００２９】
このように装着部１０は、リスナの操作等によってハンガー１３Ｌ及び１３Ｒがスライダ１２Ｌ及び１２Ｒに対し摺動されることにより、左側の耳掛部１４Ｌからヘッドバンド１１を介し右側の耳掛部１４Ｒまでの装着部長さを調節させることができる。
【００３０】
（１−２）支持部の構成
支持部２０Ｌは、ハンガー１３Ｌに取り付けられるホルダ２１Ｌに対し、回転部２２Ｌを介してアーム２３Ｌが回転し得るよう延設されており、さらに当該アーム２３Ｌの上下中央からやや下方にずれた箇所にスピーカ部３０Ｌが取付固定されている。
【００３１】
アーム２３Ｌは、金属材料でなり、射出成形等によって全体的に円弧状に形成され、回転部２２Ｌに対し（すなわちハンガー１３Ｌ等に対し）スピーカ部３０Ｌを前方に位置させると共に、略球形状であるスピーカ部３０Ｌや略三日月状の耳掛部１４Ｌとの間でデザイン上の対応が図られている。またアーム２３Ｌは、所定の太さ及び所定の断面形状でなり日常的に殆ど撓むことがない程度の強度を有しているため、装着部１０に対してスピーカ部３０Ｌを安定的に保持し得るようになされている。
【００３２】
アーム２３Ｌの下端には、シリコンゴム等の柔らかい材料により形成されたキャップ２３ＡＬが取り付けられ、その中心部分に接続ケーブル２４Ｌが挿通されるようになされている。因みにアーム２３Ｌは、断面がＵ字状に形成されることにより、接続ケーブル２４Ｌを内側に挟み込んでキャップ２３ＡＬからスピーカ部３０Ｌまで導くようになされている。
【００３３】
ホルダ２１Ｌは、スライダ１２Ｌと一部類似した構成を有しており、ハンガー１３Ｌのうち突起部１３ＤＬと折曲部１３ＡＬとの間を挟持している。
【００３４】
このためホルダ２１Ｌは、リスナの操作等によってハンガー１３Ｌに対し上下に摺動されることにより、突起部１３ＤＬと折曲部１３ＡＬとの間で当該ハンガー１３Ｌに対する上下位置を約１６［ｍｍ］の範囲で調整させ得るようになされている。
【００３５】
このときホルダ２１Ｌは、回転部２２Ｌ及びアーム２３Ｌを介してスピーカ部３０Ｌが取り付けられていることから、耳掛部１４Ｌとスピーカ部３０Ｌとの間隔を調整することができる。
【００３６】
またホルダ２１Ｌは、ハンガー１３Ｌを表側及び裏側からスライダ１２Ｌよりも強い力で挟持しており、当該ハンガー１３Ｌに沿って摺動するには、比較的強い力を必要としている。
【００３７】
実際上、ホルダ２１は、内部でシリコンゴムをハンガー１３Ｌに押し付けるような構成を有しており、ある程度までの力が加えられたときのハンガー１３Ｌに対する位置の保持と、比較的強い力が加えられたときのハンガー１３Ｌに対する摺動とを両立している。
【００３８】
このためイヤースピーカ装置１は、例えばリスナによりヘッドバンド１１とホルダ２１Ｌとが把持され両者を近接又は離隔させるような力が加えられた際、ハンガー１３Ｌに対してホルダ２１Ｌを固定したままスライダ１２Ｌを摺動させることができる。
【００３９】
回転部２２Ｌは、ホルダ２１Ｌの外側部分及びアーム２３Ｌの上端部分により構成されており、前後方向に渡るＸＬを中心に、ホルダ２１Ｌに対しアーム２３Ｌを約３５度の範囲で回転させ得るようになされている。
【００４０】
また回転部２２Ｌは、内部にコイルばね（図示せず）を内蔵している。このコイルばねは、一端がホルダ２１Ｌに固定され、他端がアーム２３Ｌに固定されており、さらにアーム２３Ｌを比較的弱い力で内側方向へ常時付勢するようになされている。因みに図１〜図５は、当該アーム２３Ｌが最内方に付勢された状態を表している。
【００４１】
このため回転部２２Ｌは、図６に実線で示すように、アーム２３Ｌ及びスピーカ部３０Ｌ（以下、両者をまとめてスピーカ可動部２５Ｌと呼ぶ）を一体として常時内側方向（矢印ａ２Ｌ方向）へ付勢する。一方、回転部２２Ｌは、スピーカ可動部２５Ｌに対し外側方向への外力が加えられた際には、図６に破線で示すように、当該スピーカ可動部２５Ｌを一体として外側方向（矢印ａ１Ｌ方向）へ広げ、最外方まで回転された状態となる。
【００４２】
因みにイヤースピーカ装置１は、アーム２３Ｌ及びスピーカ部３０Ｌに対し、最外方まで回転された状態からさらに外方への力が加えられた場合、当該外力をヘッドバンド１１へ伝達し、図６に破線で示したように、当該ヘッドバンド１１を外側方向（矢印ｂ１Ｌ方向）へ押し広げることになる。
【００４３】
このように支持部２０Ｌは、ハンガー１３Ｌに対しホルダ部２１が摺動されることにより耳掛部１４Ｌとスピーカ部３０Ｌとの間隔を調整させ得ると共に、回転部２２Ｌによりスピーカ可動部２５Ｌを常時内側方向へ付勢し、外力に応じてアーム２３Ｌを外側方向へ回転させ得るようになされている。
【００４４】
（１−３）スピーカ部の構成
スピーカ部３０Ｌは、中空の筐体３１Ｌを中心に構成されている。筐体３１Ｌは球体の一部分が平面によって切り落とされたような形状に成形されており、当該平面（以下、これを放音面３１ＡＬと呼ぶ）のほぼ中心にスピーカユニット３２が取り付けられることにより、当該スピーカユニット３２のエンクロージャとして作用し得るようになされている。
【００４５】
因みに筐体３１Ｌは、当該筐体３１Ｌの中心を挟み放音面３１ＡＬの反対側となる部分においてアーム２３Ｌに取り付けられている。
【００４６】
スピーカユニット３２は、ポータブルＣＤプレーヤやＤＭＰ、或いはアンプ等から接続ケーブル２４を介して供給される電気信号に応じて、振動板を振動させることにより放音するようになされている。
【００４７】
また筐体３１Ｌの放音面３１ＡＬには、所定太さを有する中空の部材が側面略Ｕ字状に曲げられた管状ダクト３３Ｌが筐体３１Ｌを貫通するように取り付けられている。この管状ダクト３３Ｌは、後側が内側方向に曲げられており、さらに内側端部のほぼ中央に孔部３３ＡＬが設けられている。
【００４８】
管状ダクト３３Ｌは、アルミニウムが加工されてなり、その表面に所定の樹脂がコーティングされている。これにより管状ダクト３３Ｌは、リスナの皮膚に直接触れた際の体感温度を約３〜５［℃］上昇させ、金属の冷たい感覚を和らげるようになされている。
【００４９】
管状ダクト３３Ｌは、バスレフダクトとして作用することにより、スピーカ部３０Ｌ全体をバスレフ型のスピーカとして動作させるようになされている。この管状ダクト３３Ｌは、実質的に上半分及び下半分による２本のバスレフダクトを構成しているのと同等であり、当該管状ダクト３３Ｌを１本の管状ダクトに換算した場合の内径が考慮された上で、その内径及び有効長が決定されている。
【００５０】
さらに管状ダクト３３Ｌは、略Ｕ字状に形成されているため、リスナの外耳道内へ入り込むことがない。このためイヤースピーカ装置１は、リスナが装着時等に誤って管状ダクト３３Ｌにより当該外耳道内を傷つけてしまうことを未然に防止することができる。
【００５１】
すなわち管状ダクト３３Ｌは、側面Ｕ字状に形成されたことにより、１本の管状ダクトとした場合に比べてその有効長を短く設定し得ると共に、デザイン性及び安全性を大きく向上させ得るようになされている。
【００５２】
また管状ダクト３３Ｌは、イヤースピーカ装置１がリスナの頭部に装着された際、孔部３３ＡＬが当該リスナの外耳道入口付近に位置することが想定されている。このため管状ダクト３３Ｌは、図１及び図２に示したように、リスナの耳の構造に対応するべく、自然状態において耳掛部１４Ｌよりも内側に位置している。
【００５３】
さらに筐体３１Ｌの放音面３１ＡＬには、スピーカユニット３２Ｌを保護するための保護部３４Ｌが設けられている。保護部３４Ｌは、筐体３１Ｌとほぼ同一の外径でなる円板における外周部分の一部分でなり、放音面３１ＡＬに対しほぼ垂直に取り付けられている。
【００５４】
このため保護部３４Ｌは、スピーカユニット３２Ｌからの再生音を極力遮ることなく、当該スピーカユニット３２Ｌの破損を防止し、さらに筐体３１Ｌの外周を形成する球形状との一体感を与えるようになされている。
【００５５】
（２）イヤースピーカ装置のリスナへの装着
ところでイヤースピーカ装置１は、リスナの頭部に装着される場合、管状ダクト３３Ｌを当該リスナの頭部や耳介に不用意に接触させないように考慮されている。
【００５６】
すなわちイヤースピーカ装置１は、図７（Ａ）及び（Ｂ）に示すように、まずスピーカ可動部２５Ｌ及び２５Ｒがリスナにより把持された状態で外側方向、すなわち矢印ａ１Ｌ方向及び矢印ａ１Ｒ方向へ広げられることにより、当該スピーカ可動部２５Ｌ及び２５Ｒがそれぞれ最外方まで回転され、さらにヘッドバンド１１が外側方向、すなわち矢印ｂ１Ｌ方向及び矢印ｂ１Ｒ方向へ広げられる。因みに図７（Ｂ）では、説明の都合上、スピーカ可動部２５Ｌを省略している。
【００５７】
このときイヤースピーカ装置１は、図７（Ａ）に示したように、管状ダクト３３Ｌ及び３３Ｒが耳掛部１４Ｌ及び１４Ｒよりも左右外方へ広げられている。
【００５８】
続いてイヤースピーカ装置１は、リスナの頭部１００の上方から徐々に下方へ降ろされていくことにより、ヘッドバンド１１が頭頂部１００Ａに当接する。このとき管状ダクト３３Ｌ及び３３Ｒは、外側方向へ押し広げられたままであるため、耳介１０１Ｌ及び１０１Ｒに干渉することなく当該耳介１０１Ｌ及び１０１Ｒの外側に位置することになる。
【００５９】
イヤースピーカ装置１は、ここでスピーカ可動部２５Ｌ及び２５Ｒに対する外方への力が弱められると、ヘッドバンド１１の復元力により、耳掛部１４Ｌ及び１４Ｒを内方へ、すなわち矢印ｂ２Ｌ方向及び矢印ｂ２Ｒ方向へそれぞれ付勢し、リスナの頭部１００を左右から挟み込むことになる。
【００６０】
このときイヤースピーカ装置１は、スライダ１２Ｌ及び１２Ｒに対するハンガー１３Ｌ及び１３Ｒの位置をリスナに調節させることにより、耳掛部１４Ｌ及び１４Ｒをリスナの耳介付け根上部１０１ＡＬ及び１０１ＡＲにそれぞれ当接させる。
【００６１】
この場合、耳掛部１４Ｌは、耳介付け根上部１０１ＡＬに当接するだけでなく、リスナの頭部１００と耳介付け根上部１０１ＡＬとの間に挟まれることにもなるため、例えば眼鏡のつる（テンプル及びモダン）と同様に、頭部１００に対する位置が安定的に保持されることになる。耳掛部１４Ｒについても同様である。
【００６２】
また耳掛部１４Ｌ及び１４Ｒは、耳介１０１Ｌ及び１０１Ｒの外方から内方へ付勢されただけでは当該耳介１０１Ｌ及び１０１Ｒを外側から挟むことになってしまうため、少なくとも耳介１０１Ｌ及び１０１Ｒの近傍では、頭部１００の表面を摺動するように上方から下方へ降ろされていくことが望ましい。
【００６３】
この結果、イヤースピーカ装置１は、図８（Ａ）及び（Ｂ）に示すように、ヘッドバンド１１、ハンガー１３Ｌ及び１３Ｒ並びに耳掛部１４Ｌ及び１４Ｒ（すなわち装着部１０）をリスナの頭部１００に対し安定的に装着される。
【００６４】
因みにイヤースピーカ装置１は、リスナが既に目盛り及び数字の刻印により適切なハンガー１３Ｌ及び１３Ｒの位置を把握している場合、予めスライダ１２Ｌ及び１２Ｒに対するハンガー１３Ｌ及び１３Ｒの位置を調節させておくことにより、装着後に改めて調節させずに済む。
【００６５】
イヤースピーカ装置１は、図８（Ａ）及び（Ｂ）に示した状態から、スピーカ可動部２５Ｌ及び２５Ｒに対する外方への力がさらに弱められて完全に解放されると、回転部２２Ｌ及び２２Ｒの復元力により、スピーカ可動部２５Ｌ及び２５Ｒを内方へ、すなわち矢印ａ２Ｌ方向及び矢印ａ２Ｒ方向へ回転させる。
【００６６】
このとき回転部２２Ｌ及び２２Ｒは、スピーカ可動部２５Ｌ及び２５Ｒを最内方まで、又は管状ダクト３３Ｌ及び３３Ｒがそれぞれリスナの外耳道入口１０２Ｌ及び１０２Ｒ近傍に当接するまで回転させる。
【００６７】
さらにイヤースピーカ装置１は、リスナに、ハンガー１３Ｌ及び１３Ｒに対するホルダ２１Ｌ及び２１Ｒの位置を調節させ、また耳掛部１４Ｌ及び１４Ｒ（すなわち装着部１０）の前後方向に関する装着位置を微調整させる。
【００６８】
この結果、イヤースピーカ装置１は、図９（Ａ）及び（Ｂ）に示すように、管状ダクト３３Ｌ及び３３Ｒの内側端部が外耳道入口１０２Ｌ及び１０２Ｒに僅かに入り込む状態で、リスナの頭部１００に装着される。
【００６９】
またアーム２３Ｌ及び２３Ｒは、このように装着された際、下端部がリスナの頬からある程度離れるように設計されている。これによりイヤースピーカ装置１は、スピーカ部３０Ｌ及び３０Ｒの筐体３１Ｌ及び３１Ｒや接続ケーブル２４Ｌ及び２４Ｒ等がリスナの頬に触れて不快感を与えることを防止することができる。
【００７０】
因みにイヤースピーカ装置１は、リスナの頭部１００に装着された状態から取り外される際には、装着時と逆の順序を辿れば良い。すなわちイヤースピーカ装置１は、スピーカ可動部２５Ｌ及び２５Ｒを外方へ押し広げながら上方へ持ち上げさせることにより、管状ダクト３３Ｌ及び３３Ｒを耳介１０１Ｌ及び１０１Ｒ等に干渉させることなく、容易に取り外させることができる。
【００７１】
このようにイヤースピーカ装置１は、まずスピーカ可動部２５Ｌ及び２５Ｒが最外方まで回転されると共にヘッドバンド１１も外側方向へ広げられ（図７（Ａ）及び（Ｂ））、次にリスナの頭部１００に上方から降ろされることにより耳掛部１４Ｌ及び１４Ｒが耳介付け根上部１０１ＡＬ及び１０１ＡＲにそれぞれ当接されて装着部１０が頭部１００に装着される。続いてイヤースピーカ装置１は、スピーカ可動部２５Ｌ及び２５Ｒを内方へ回転させることにより、管状ダクト３３Ｌ及び３３Ｒの内側端部が外耳道入口１０２Ｌ及び１０２Ｒに僅かに入り込む状態で装着されるようになされている。
【００７２】
（３）音響特性
イヤースピーカ装置１は、図９（Ａ）及び（Ｂ）に示したように、リスナの頭部１００に正しく装着されると、スピーカ部３０Ｌをリスナの頭部における耳介１０１Ｌよりもやや前方に位置させる。ここでスピーカ部３０Ｌ及びアーム２３Ｌは、放音面３１ＡＬの法線がリスナの外耳道入口１０２Ｌの方向を向くように、その形状、取付位置及び取付角度等が調整されている。
【００７３】
これによりイヤースピーカ装置１のスピーカ部３０Ｌは、スピーカユニット３２Ｌから放射された中高音を直接リスナの外耳道内部へ到達させると共に、当該リスナの頬や耳介１０１Ｌ等で反射された反射音も外耳道内部へ到達させることができるため、一般的な据置型スピーカを介して聴取した場合と同様の、自然な音像定位を与えることができる。
【００７４】
ところで筐体３１Ｌは、図９（Ｂ）におけるＱ１−Ｑ２断面を図１０に示すように、スピーカユニット３２Ｌが取り付けられた状態でほぼ密閉された空間を形成しており、スピーカユニット３２Ｌに対して筐体３１Ｌ及び管状ダクト３３Ｌにより共振回路を形成するようになされている。
【００７５】
一方、一般的なバスレフ型のイヤースピーカ装置では、ダクトが筐体の内部のみに設けられ、外部へは延長しないようになされている。そこで、スピーカ部３０Ｌとの比較用に、図１０との対応部分に同一符号を付した図１１に示すようなスピーカ部４０Ｌを想定する。
【００７６】
このスピーカ部４０Ｌ（図１１）は、一般的なバスレフ型スピーカと同様に構成されており、スピーカ部３０Ｌの管状ダクト３３Ｌ（図１０）に代えて、筐体３１Ｌの内側のみに２本の管状ダクト４３Ｌ及び４４Ｌを有している。
【００７７】
ここで、スピーカユニット３２Ｌの放音位置を仮想的な音源の位置（以下、これを仮想音源位置と呼ぶ）ＰＭと見なしたときの、当該スピーカユニット３２Ｌから放射された中高音がリスナの鼓膜１０３Ｌに到達するまでの経路長をＥＭとする。また、孔部４３ＡＬ及び４４ＡＬを仮想音源位置ＰＬ２と見なしたときの、管状ダクト４３Ｌ内及び４４Ｌ内を伝わり当該孔部４３ＡＬ及び４４ＡＬから放射された低音がリスナの鼓膜１０３Ｌに到達するまでの経路長をＥＬ２とする。この場合、経路長ＥＭ≒経路長ＥＬ２の関係が成立する。
【００７８】
スピーカ部４０Ｌにより鼓膜１０３Ｌに到達する音の周波数特性は、図１２のようになる。この図１２に示すように、一般的なバスレフ型のスピーカ部４０Ｌは、スピーカユニット３２Ｌから放射される、特性曲線ＳＭに示すような周波数特性でなる中高音と、管状ダクト４３Ｌ内及び４４Ｌ内を伝わり孔部４３ＡＬ及び４４ＡＬから放射される、特性曲線ＳＬ２に示すような周波数特性でなる低音とを合わせてリスナの鼓膜１０３Ｌまで到達させることになる。
【００７９】
これによりスピーカ部４０Ｌは、特性曲線ＳＭ及び特性曲線ＳＬ２が合成された特性曲線ＳＧ２に示すように、特性曲線ＳＭにおける低音域の音圧レベルがある程度上昇された再生音をリスナに聴取させることができる。
【００８０】
一方、本発明によるスピーカ部３０Ｌ（図１０）についても、スピーカユニット３２Ｌを仮想音源位置ＰＭとみなしたときの、当該スピーカユニット３２Ｌから放射された中高音がリスナの鼓膜１０３Ｌに到達するまでの経路長をＥＭとする。また、孔部３３ＡＬを仮想音源位置ＰＬ１と見なしたときの、管状ダクト３３Ｌ内を伝わり当該孔部３３ＡＬから放射された低音がリスナの鼓膜１０３Ｌに到達するまでの経路長をＥＬ１とする。スピーカ部３０Ｌの場合、経路長ＥＭ＞経路長ＥＬ１の関係が成立する。
【００８１】
スピーカ部３０Ｌにより鼓膜１０３Ｌに到達する音の周波数特性は、図１３のようになる。スピーカ部３０Ｌは、上述したようにバスレフ型スピーカの一種であるため、図１２に示した場合と同様、スピーカユニット３２Ｌから放射される、特性曲線ＳＭに示すような周波数特性でなる中高音と、管状ダクト３３Ｌを伝わり孔部３３ＡＬから放射される、特性曲線ＳＬ１に示すような周波数特性でなる低音とを合わせてリスナの鼓膜１０３Ｌまで到達させることになる。
【００８２】
ところで、一般に音源からの距離と音圧レベルとは反比例の関係にある。ここでスピーカ部３０Ｌ（図１０）とスピーカ部４０Ｌ（図１１）との経路長を比較すると、経路長ＥＬ１＜経路長ＥＬ２の関係となる。
【００８３】
すなわちスピーカ部３０Ｌ（図１０）は、仮想音源位置ＰＬ１がスピーカ部４０Ｌ（図１１）の仮想音源位置ＰＬ２よりもリスナの外耳道入口１０２Ｌ近傍に位置しているため、管状ダクト３３Ｌ内を伝わり孔部３３ＡＬ（仮想音源位置ＰＬ１）から放射される低音を、スピーカ部４０Ｌの場合よりも高い音圧レベルで鼓膜１０３Ｌまで到達させることができる。
【００８４】
これによりスピーカ部３０Ｌ（図１０）は、２つの特性曲線ＳＬ１及びＳＬ２を重ねた図１４に示すように、管状ダクト３３Ｌによる低音の特性曲線ＳＬ１は、経路長ＥＬ１＜経路長ＥＬ２の関係により、管状ダクト４３Ｌ及び４４Ｌによる低音の特性曲線ＳＬ２と比較して全体的な音圧レベルが高くなる。
【００８５】
この結果、スピーカ部３０Ｌは、特性曲線ＳＭ及び特性曲線ＳＬ１が合成された特性曲線ＳＧ１に示すように、特性曲線ＳＭにおける低音域の音圧レベルがスピーカ部４０Ｌの場合（特性曲線ＳＧ２）よりも上昇された、比較的低い周波数帯まで十分な音圧レベルの再生音をリスナに聴取させ得るようになされている。
【００８６】
ここで特性曲線ＳＧ１と特性曲線ＳＧ２とを比較すると、特性曲線ＳＧ２では低音域側へ進むに連れて比較的急峻に音圧レベルが低下しているのに対して、特性曲線ＳＧ１では低音域側へ進むに連れて音圧レベルの低下度合いが緩やかになっていることが分かる。
【００８７】
すなわちスピーカ部３０Ｌは、スピーカ部４０Ｌと比較して、広い周波数帯域に渡って高い音圧レベルでなる、すなわち充分な低音域が含まれる良好な再生音をリスナの鼓膜１０３に伝達して聴取させることができる。
【００８８】
この場合、スピーカ部３０Ｌは、図９（Ｂ）及び図１０に示したように、リスナの外耳道入口１０２Ｌの近傍に管状ダクト３３Ｌの内端部を位置させるものの、当該外耳道入口１０２Ｌを完全には閉塞しない。
【００８９】
このためスピーカ部３０Ｌは、スピーカユニット３２Ｌから放射する中高音及び管状ダクト３３Ｌの孔部３３ＡＬから放射する低音を合わせた再生音に加えて、リスナの周囲で発生した音（以下これを周囲音と呼ぶ）を遮断することなく当該リスナの鼓膜１０３Ｌまで到達させ聴取させることができる。
【００９０】
また孔部３３ＡＬは、図１０に示したように、リスナの鼓膜１０３Ｌの方向ではなく、当該リスナの後方へ向けて設けられている。これによりスピーカ部３０Ｌは、管状ダクト３３Ｌの孔部３３ＡＬから僅かに漏れ出てしまう中高音を直接的に鼓膜１０３Ｌへ到達させることを防止でき、音質の向上を図るようになされている。
【００９１】
このスピーカ部３０Ｌ（図１０）及びスピーカ部４０Ｌ（図１１）について、人間の耳介及び外耳道を模した測定用治具を用いて実際の周波数特性を測定したところ、図１５に示すような特性曲線ＳＧ１１（スピーカ部３０Ｌの場合）及び特性曲線ＳＧ１２（スピーカ部４０Ｌの場合）が得られた。
【００９２】
この図１５では、図１４に示した理論的な周波数特性と同様、およそ５００［Ｈｚ］以下の低音域において、スピーカ部３０Ｌの特性曲線ＳＧ１１がスピーカ部４０Ｌの特性曲線ＳＧ１２よりも高い音圧レベルとなっている。すなわち図１５には、実際にスピーカ部３０Ｌがリスナに対して充分な低音を含む良好な再生音を聴取させ得ることが示されている。
【００９３】
このようにイヤースピーカ装置１は、リスナの頭部１００に装着された際、スピーカユニット３２Ｌをリスナの外耳道入口１０２Ｌからやや離れた場所に位置させ、そのスピーカユニット３２Ｌから再生音の中高音を放射すると共に、筐体３１Ｌから当該外耳道入口１０２Ｌの近傍まで延長された管状ダクト３３Ｌの孔部３３ＡＬから再生音の低音を放射することにより、自然な音像定位を与えながら充分な低音を含む良好な再生音を当該リスナに聴取させ得るようになされている。
【００９４】
（４）動作及び効果
以上の構成において、イヤースピーカ装置１は、ヘッドバンド１１並びに耳掛部１４Ｌ及び１４Ｒにより装着部１０をリスナの頭部に当接し得るようにし、また回転部２２Ｌ及び２２Ｒにより当該装着部１０に対しスピーカ可動部２５Ｌ及び２５Ｒを外方へ回転し得るようにした。
【００９５】
イヤースピーカ装置１は、リスナの頭部１００に装着される際、まずスピーカ可動部２５Ｌ及び２５Ｒが外側方向開かれることにより、当該スピーカ可動部２５Ｌ及び２５Ｒが最外方まで回転され、さらにヘッドバンド１１が外側方向へ広げられる（図７（Ａ）及び（Ｂ））。
【００９６】
次にイヤースピーカ装置１は、リスナの頭部１００の上方から下方へ降ろされることにより、管状ダクト３３Ｌ及び３３Ｒが耳介１０１Ｌ及び１０１Ｒに干渉することなく、ヘッドバンド１１が頭頂部１００Ａに当接される。
【００９７】
続いてイヤースピーカ装置１は、スピーカ可動部２５Ｌ及び２５Ｒに対する外方への力が弱められることにより、ヘッドバンド１１の復元力により耳掛部１４Ｌ及び１４Ｒが耳介付け根上部１０１ＡＬ及び１０１ＡＲにそれぞれ当接され、左右から頭部１００を挟み込むことにより装着部１０を当該頭部１００に装着させる（図８（Ａ）及び（Ｂ））。
【００９８】
さらにイヤースピーカ装置１は、スピーカ可動部２５Ｌ及び２５Ｒに対する外方への力が解放されると、回転部２２Ｌ及び２２Ｒの復元力によりスピーカ可動部２５Ｌ及び２５Ｒを内方へ回転させ、管状ダクト３３Ｌ及び３３Ｒをそれぞれリスナの外耳道入口１０２Ｌ及び１０２Ｒ近傍に位置させる（図９（Ａ）及び（Ｂ））。
【００９９】
従ってイヤースピーカ装置１は、リスナの耳の構造に対応すべく自然状態で管状ダクト３３Ｌ及び３３Ｒが耳掛部１４Ｌ及び１４Ｒよりも内側に位置しているにも拘わらず、リスナの頭部１００に容易に且つ安定的に装着させることができる。
【０１００】
このときイヤースピーカ装置１は、左右のスピーカ可動部２５Ｌ及び２５Ｒを装着や取り外しの際に一時的に外方へ広げてその後解放するといった、ヘッドバンドを有する一般的なヘッドホン装置の場合と同様の操作により、頭部１００への装着又は取り外しを行わせることができる。このためイヤースピーカ装置１は、装着又は取り外しに際し、リスナに特別な作業を行わせ又は習得させることが無く、煩わしさを与えることがない。
【０１０１】
またイヤースピーカ装置１は、リスナの頭部１００に装着された場合、ヘッドバンド１１の復元力による左右内側への比較的強い付勢力を、耳掛部１４Ｌ及び１４Ｒから当該頭部１００へ加えることができる。
【０１０２】
このときイヤースピーカ装置１は、管状ダクト３３Ｌ及び３３Ｒがリスナの外耳道入口１０２Ｌ及び１０２Ｒ近傍に当接していたとしても、比較的弱い回転力が加えられている回転部２２Ｌ及び２２Ｒにより、当該管状ダクト３３Ｌ及び３３Ｒを外方へ逃がすことができ、当該管状ダクト３３Ｌ及び３３Ｒをリスナの外耳道入口１０２Ｌ及び１０２Ｒ近傍に強く押し当てて痛みや不快感を与えてしまうことを未然に防止できる。
【０１０３】
このためイヤースピーカ装置１は、耳掛部１４Ｌ及び１４Ｒにより装着部１０を頭部１００に対して安定的に装着させることができると共に、管状ダクト３３Ｌ及び３３Ｒを当該外耳道入口１０２Ｌ及び１０２Ｒ近傍に軽く当接させることによりスピーカユニット３２Ｌ及び３２Ｒ並びに孔部３３ＡＬ及び３３ＡＲの位置を安定させることができる。
【０１０４】
また一般に、耳介付け根上部１０１ＡＬ及び１０１ＡＲから外耳道入口１０２Ｌ及び１０２Ｒまでの間隔はリスナ毎に異なる。これに対しイヤースピーカ装置１は、ハンガー１３Ｌ及び１３Ｒに対してホルダ２１Ｌ及び２１Ｒを上下に調節させることができるので、リスナ毎に、管状ダクト３３Ｌ及び３３Ｒを当該外耳道入口１０２Ｌ及び１０２Ｒの近傍における最適な位置に調節させることができる。
【０１０５】
この結果、イヤースピーカ装置１は、リスナに対しスピーカ部３０Ｌ及び３０Ｒから自然な音像定位を与えると同時に十分な低音を含む良好な再生音を聴取させることができる。
【０１０６】
またホルダ２１Ｌ及び２１Ｒは、ハンガー１３Ｌ及び１３Ｒを表側及び裏側からスライダ１２Ｌ及び１２Ｒよりも強い力で挟持している。このためイヤースピーカ装置１は、例えば収納される際にスピーカ可動部２５Ｌ及び２５Ｒに外力が加えられてスライダ１２Ｌ及び１２Ｒがハンガー１３Ｌ及び１３Ｌの最下端に移動され、装着時に当該スライダ１２Ｌ及び１２Ｒが元の位置に戻されるような場合にも、ハンガー１３Ｌ及び１３Ｒに対するホルダ２１Ｌ及び２１Ｒの位置を維持することができる。
【０１０７】
さらにアーム２３Ｌ及び２３Ｒは、回転部２２Ｌ及び２２Ｒからスピーカ部３０Ｌ及び３０Ｒまでを結ぶのみでなく、当該スピーカ部３０Ｌ及び３０Ｒよりもそれぞれ下方へ延長されていることにより、リスナにスピーカ可動部２５Ｌ及び２５Ｒを容易に把持させることができる。
【０１０８】
このときスピーカ部３０Ｌ及び３０Ｒは、保護部３４Ｌ及び３４Ｒによってスピーカユニット３２Ｌ及び３２Ｒを保護しているため、当該スピーカユニット３２Ｌ及び３２Ｒの放音面をできるだけ解放して音質の低下を最小限に止めると共に、リスナが手探りでスピーカ可動部２５Ｌ及び２５Ｒを把持するときに誤って当該スピーカユニット３２Ｌ及び３２Ｒに触れ、さらには力を加えることによる破損を未然に防止することができる。
【０１０９】
以上の構成によれば、イヤースピーカ装置１は、装着部１０に耳掛部１４Ｌ及び１４Ｒを設けると共に当該装着部１０に対しスピーカ可動部２５Ｌ及び２５Ｒを回転させる回転部２２Ｌ及び２２Ｒを設け、自然状態で耳掛部１４Ｌ及び１４Ｒよりも管状ダクト３３Ｌ及び３３Ｒを内側に位置させておき、リスナの頭部１００に装着される際、スピーカ可動部２５Ｌ及び２５Ｒを最外方まで回転させてから、上方から降ろされて耳掛部１４Ｌ及び１４Ｒを耳介付け根上部１０１ＡＬ及び１０１ＡＲにそれぞれ当接させ、スピーカ可動部２５Ｌ及び２５Ｒに対する外方への力が解放され回転部２２Ｌ及び２２Ｒの弾性力によりスピーカ可動部２５Ｌ及び２５Ｒを内方へ回転させることにより、管状ダクト３３Ｌ及び３３Ｒを耳介１０１Ｌ及び１０１Ｒ等に干渉させることなくそれぞれリスナの外耳道入口１０２Ｌ及び１０２Ｒ近傍に位置させるようリスナの頭部１００に装着させることができる。
【０１１０】
（５）他の実施の形態
なお上述した実施の形態においては、回転部２２Ｌ及び２２Ｒが前後方向へ渡る回転軸ＸＬを中心にホルダ２１Ｌ及び２１Ｒに対してアーム２３Ｌ及び２３Ｒを左右の外側方向へ回転させるようにした場合について述べたが、本発明はこれに限らず、例えば回転部２２Ｌ及び２２Ｒが上下方向へ渡る回転軸を中心にホルダ２１Ｌ及び２１Ｒに対してアーム２３Ｌ及び２３Ｒを前外側方向又は後外側方向へ回転させる等、回転軸の方向を任意に定めるようにしても良い。
【０１１１】
或いは、アーム２３Ｌ及び２３Ｒ自体がしなることにより、スピーカ部３０Ｌ及び３０Ｒを外方へ開く等しても良く、要は、支持部２０Ｌ及び２０Ｒにより、イヤースピーカ装置１がリスナの頭部１００に装着された状態では、管状ダクト３３Ｌ及び３３Ｒの内側端部をリスナの外耳道入口１０２Ｌ及び１０２Ｒ近傍に位置させるようスピーカ部３０Ｌ及び３０Ｒを支持し、イヤースピーカ装置１がリスナの頭部１００に装着され、又は取り外されるときには管状ダクト３３Ｌ及び３３Ｒを耳介１０１Ｌ及び１０１Ｒ等に干渉しない状態にできればよい。
【０１１２】
また上述した実施の形態においては、管状ダクト３３Ｌ及び３３Ｒをアルミニウムにより構成するようにした場合について述べたが、本発明はこれに限らず、例えば可撓性の樹脂材料で構成することにより、イヤースピーカ装置１をリスナの頭部１００に装着し又は当該頭部１００から取り外す際の耳介１０１Ｌ及び１０１Ｒ等との干渉を防止するようにしても良い。
【０１１３】
また上述した実施の形態においては、ホルダ２１Ｌ及び２１Ｒがハンガー１３Ｌ及び１３Ｒに対して摺動させることにより、耳掛部１４Ｌ及び１４Ｒと管状ダクト３３Ｌ及び３３Ｒの内側端部との間隔を調整するようにした場合について述べたが、本発明はこれに限らず、例えばアーム２３Ｌ及び２３Ｒに対するスピーカ部３０Ｌ及び３０Ｒの取付位置を変化させることにより、当該間隔を調整するようにしても良い。
【０１１４】
さらに上述した実施の形態においては、アーム２３Ｌ及び２３Ｒを略円弧状に形成するようにした場合について述べたが、本発明はこれに限らず、折れ線状や曲面状等の種々の形状としても良い。
【０１１５】
さらに上述した実施の形態においては、アーム２３Ｌ及び２３Ｒの下端から接続ケーブル２４Ｌ及び２４Ｒを引き出すようにした場合について述べたが、本発明はこれに限らず、例えばスピーカ部３０Ｌ及び３０Ｒの下面から当該接続ケーブル２４Ｌ及び２４Ｒを引き出す等しても良い。
【０１１６】
さらに上述した実施の形態においては、スピーカ部３０Ｌ及び３０Ｒの放音面３１ＡＬ及び３１ＡＲに、円板における外周部分の一部分でなる保護部３４Ｌ及び３４Ｒを設けるようにした場合について述べたが、本発明はこれに限らず、当該保護部３４Ｌ及び３４Ｒを他の種々の形状としても良く、要はスピーカユニット３２Ｌ及び３２Ｒから放出される音をできるだけ遮らず、且つ当該スピーカユニット３２Ｌ及び３２Ｒの振動板等を接触等から保護できれば良い。また保護部３４Ｌ及び３４Ｒは省略されていても良い。
【０１１７】
さらに上述した実施の形態においては、耳掛部１４Ｌ及び１４Ｒを略三日月状に形成するようにした場合について述べたが、本発明はこれに限らず、例えば直線状に形成し、或いは耳介の付け根に沿った形状に形成する等、種々の形状としても良く、要は装着部１０をリスナの頭部１００に安定的に装着できるような形状であれば良い。
【０１１８】
さらに上述した実施の形態においては、リスナにハンガー１３Ｌ及び１３Ｒをスライダ１２Ｌ及び１２Ｒに対し上下方向に摺動させることにより装着部長さを調節させるようにした場合について述べたが、本発明はこれに限らず、例えばヘッドバンド１１に調節機構を組み込むことにより装着部長さを調節させるようにしても良い。
【産業上の利用可能性】
【０１１９】
本発明は、リスナの頭部に装着し再生音を聴取させるイヤースピーカ装置やヘッドホン装置等でも利用できる。
【図面の簡単な説明】
【０１２０】
【図１】イヤースピーカ装置の全体構成（１）を示す略線的正面図である。
【図２】イヤースピーカ装置の全体構成（２）を示す略線的背面図である。
【図３】イヤースピーカ装置の全体構成（３）を示す略線的左側面図である。
【図４】イヤースピーカ装置の全体構成（４）を示す略線的内側面図である。
【図５】イヤースピーカ装置の全体構成（５）を示す略線的斜視図である。
【図６】イヤースピーカ装置の可動範囲の説明に供する略線的正面図である。
【図７】イヤースピーカ装置の装着（１）の説明に供する略線図である。
【図８】イヤースピーカ装置の装着（２）の説明に供する略線図である。
【図９】イヤースピーカ装置の装着（３）の説明に供する略線図である。
【図１０】本発明によるイヤースピーカ装置からの音の伝達の説明に供する略線的断面図である。
【図１１】一般的なバスレフ型のイヤースピーカ装置からの音の伝達の説明に供する略線的断面図である。
【図１２】一般的なバスレフ型のイヤースピーカ装置における周波数特性を示す略線図である。
【図１３】本発明によるイヤースピーカ装置における周波数特性を示す略線図である。
【図１４】理論的な周波数特性を示す略線図である。
【図１５】実測による周波数特性を示す略線図である。
【符号の説明】
【０１２１】
１……イヤースピーカ装置、１０……装着部、１１……ヘッドバンド、１２Ｌ、１２Ｒ……スライダ、１３Ｌ、１３Ｒ……ハンガー、１４Ｌ、１４Ｒ……耳掛部、２０Ｌ、２０Ｒ……支持部、２１Ｌ、２１Ｒ……ホルダ、２２Ｌ、２２Ｒ……回転部、２３Ｌ、２３Ｒ……アーム、２５Ｌ、２５Ｒ……スピーカ可動部、３０Ｌ、３０Ｒ……スピーカ部、３１Ｌ、３１Ｒ……筐体、３２Ｌ、３２Ｒ……スピーカユニット、３３Ｌ、３３Ｒ……管状ダクト、３３ＡＬ、３３ＡＲ……孔部、３４Ｌ、３４Ｒ……保護部、１００……頭部、１０１Ｌ、１０１Ｒ……耳介、１０２Ｌ、１０２Ｒ……外耳道入口。
【図１】
0004900138.tif 000002
【図２】
0004900138.tif 000003
【図３】
0004900138.tif 000004
【図４】
0004900138.tif 000005
【図５】
0004900138.tif 000006
【図６】
0004900138.tif 000007
【図７】
0004900138.tif 000008
【図８】
0004900138.tif 000009
【図９】
0004900138.tif 000010
【図１０】
0004900138.tif 000011
【図１１】
0004900138.tif 000012
【図１２】
0004900138.tif 000013
【図１３】
0004900138.tif 000014
【図１４】
0004900138.tif 000015
【図１５】
0004900138.tif 000016